(57)【要約】【課題】引き出しや書類棚に収納された複数のファイルから必要なファイルを抜き空隙が出来ても収納中のファイルがズレたり、倒れ込むことがないファイルストッパーを提供する。【解決手段】引き出し或いは書類棚の中に設置することで、その引き出し或いは書類棚の中に収納されたファイルがズレたり・倒れ込むのを防止するファイルストッパーであって、該ファイルストッパーは、平板形状の本体部と、三角柱を引き出し或いは書類棚の長手方向に平行に並設した形状の表面部とからなることを特徴とするファイルストッパー。【選択図】図１
2008161287.tif 000002
【特許請求の範囲】
【請求項１】
引き出し或いは書類棚の中に設置することで、その引き出し或いは書類棚の中に収納されたファイルがズレたり・倒れ込むのを防止するファイルストッパーであって、
該ファイルストッパーは、平板形状の本体部と、三角柱を引き出し或いは書類棚の長手方向に平行に並設した形状の表面部とからなることを特徴とするファイルストッパー。
【発明の詳細な説明】
【技術分野】
【０００１】
本発明は、書類を綴じるファイルが収納されている引き出しや書類棚（キャビネット）において、例えば引き出しを引いたり押したりする際に発生する振動、或いは引き出しや書類棚に収納されている複数のファイルから少なくとも一つ以上のファイルを抜くことによって、その抜いたファイルの厚み分空隙が生じ、それにより他の収納されているファイルの自立力が弱まり、所定位置からズレたり、倒れ込んでしまうのを防止することが出来るファイルストッパーに関するものである。
【背景技術】
【０００２】
従来、書類を綴じるファイルは、例えば机に備え付けてある引き出し中に収納しており、図５（引き出しを引いたり或いは押したりする方向で垂直に切断した断面図）に示すように、該ファイルの表紙３ａおよび裏紙３ｂの先端が、引き出しの底面４ｂと接触するように収納されている。
【０００３】
そして、引き出しに収納されているファイルを取り出したい場合、或いはファイルを引き出しに収納したい場合には、引き出しを引いたり、押したりするが、この時の振動により、収納されているファイルが所定位置からズレたり、倒れ込んでしまう問題があった。そこで、その様な問題を解決するために特許文献１に開示されているようなブックエンドが採用され、ファイルがズレたり、倒れ込む問題を解決していた。
【特許文献１】特開２００５−６９０９号公報
【発明の開示】
【発明が解決しようとする課題】
【０００４】
ところが、ブックエンドを採用していたとしても、引き出しの底面４ｂはフラット形状のため滑りやすく、例えば、複数のファイルが収納されている引き出しから少なくとも一つのファイルを抜いた場合、その抜いたファイルの部分が空隙となり、他の収納中ファイルの自立力が弱くなり、所定位置からズレたり、倒れ込んでしまう問題があった。また、収納されていたファイルを抜いた当初は、空隙が出来てもファイルの自立力或いは隣接するファイルと支えあうことで、所定位置からズレたり、倒れ込むということがなかったとしても、引き出しを引いたり、押したりする際に発生する振動により、結局ファイルがズレたり、倒れ込んでしまう問題があった。
【０００５】
また、書類を綴じるファイルが書類棚に収納されている場合も同様の問題があった。すなわち、書類棚から少なくとも一つのファイルを抜いた場合、その抜いたファイルの部分が空隙となり、他の収納中ファイルの自立力が弱くなり、所定位置からズレたり、倒れ込んでしまう問題があった。
【課題を解決するための手段】
【０００６】
本発明は、かかる従来技術の課題に鑑みてなされたもので、引き出しや書類棚に収納された複数のファイルから必要なファイルを抜き空隙が出来ても収納中のファイルがズレたり、倒れ込むことがないファイルストッパーを提供することを目的とする。
【０００７】
本発明の請求項１記載のファイルストッパーは、引き出し或いは書類棚の中に設置することで、その引き出し或いは書類棚の中に収納されたファイルがズレたり・倒れ込むのを防止するファイルストッパーであって、該ファイルストッパーは、平板形状の本体部と、三角柱を引き出し或いは書類棚の長手方向に平行に並設した形状の表面部とからなることを特徴とするものである。
【発明の効果】
【０００８】
引き出しや書類棚に収納された複数のファイルから、必要なファイルを抜き空隙が出来ても、収納中のファイルがズレたり、倒れ込むのを防止することが出来る。さらに、該空隙が出来た後、引き出しを引いたり、押したりすることによって振動が発生したとしても、収納中のファイルがズレたり、倒れ込むことがない。
【発明を実施するための最良の形態】
【０００９】
本発明のファイルストッパーは、引き出し或いは書類棚の中に設置することで、その引き出し或いは書類棚の中に収納されたファイルがズレたり・倒れ込むのを防止するファイルストッパーであって、該ファイルストッパーは、平板形状の本体部と、三角柱を引き出し或いは書類棚の長手方向に平行に並設した形状の表面部とからなるものであればよく、その材質には例えば、軟質ポリウレタンフォームやポリスチレンフォーム等の合成樹脂発泡体、ゴム、木、金属等を用いることができる。その中で特に好ましいものは、軟質ポリウレタンフォームであり、図２に示すように軟質ポリウレタンフォームからなる本発明のファイルストッパー１は、引き出しの底面４ｂに設置・固定され、ファイルの表紙３ａと裏紙３ｂとが、該ストッパーの谷部１ｂと接触するように設置される。この時、ファイルの表紙３ａおよび裏紙３ｂとが、該ファイルストッパーの谷部１ｂと接触後、ファイル３の重さによって谷部１ｂが下方に沈み込むことにより、ファイルがズレたり、倒れ込み難くなる。さらに、ファイルストッパー１は山部１ａを有するため、例えファイルが引き出しを押す方向或いは引く方向に動いたとしても、山部１ａの側面にファイルが接触することで、ファイルがズレたり、倒れこむことを防止することが出来る。
【００１０】
また、本発明のファイルストッパーの表面部１Ａは、上記材質からなる平板の表面を二次元裁断機、或いは三次元裁断機を用いて裁断し、図１に示すような表面部１Ａを形成してもよいし、或いは金型を使用して表面１Ａを成形してもよい。
【００１１】
また、本発明のファイルストッパー自体を固定するために図２に示すようなブックエンドを用いたり、或いは図示しないが該ファイルストッパーの本体部１Ｂの底面に滑り止め部材を取付たりしてもよい。
【００１２】
以下、本発明に係るファイルストッパーの実施形態について、図面を参照しながら説明する。
【実施例】
【００１３】
（実施例１）
密度が１３ｋｇ／ｍ３で硬さが８０Ｎの軟質ポリウレタンフォームを使用し、まず、厚さ２０ｍｍ×横３００ｍｍ×縦２００ｍｍの平板形状に裁断する。
【００１４】
次に、図１に示すように、この平板形状のフォーム表面が三角柱を長手方向に平行に並設するように裁断して表面部１Ａを形成し、本発明のファイルストッパー１を得た。なお、裁断していない部位を本体部１Ｂとする。
【００１５】
また、表面部１Ａの三角柱の高さａは１０ｍｍであり、その底辺ｂは５ｍｍである。
【００１６】
得られたファイルストッパーについて、以下に示す試験方法にて試験を行い、ファイルのズレ、倒れ込みの発生度について測定を行った。その結果を表１に示す。
［試験方法］
図２に示すように、金属製の引き出し内に上記得られたファイルストッパー１を設置し、該ストッパー１の端部に金属製ブックエンド２を接触させ、該ストッパーを固定する。
【００１７】
次に、ファイル３の表紙３ａと裏紙３ｂとが、ファイルストッパー１の三角柱の谷部１ｂに接触するようにファイル３を設置する。
【００１８】
そして、このファイル３が設置された引き出しを一日に５０回開閉し、ファイルのズレ、倒れ込みが発生したかどうか目視で５０日間観察した。評価基準は、以下の通り示します。
【００１９】
［評価基準］
○：ファイルにズレ・倒れ込みが発生しない。
△：ファイルが引き出し中においてズレが発生した。
×：ファイルが引き出し中において倒れ込みが発生した。
【００２０】
なお、評価基準において、ファイルが引き出し中においてズレとは、ファイルがファイルストッパー方向に若干倒れ、ファイルの表題が見づらい状態である。また、ファイルが引き出し中において倒れ込みとは、ファイルがファイルストッパーに対して略水平状態に倒れ、ファイルの表題が見えない状態である。
【００２１】
（比較例１）
密度が１３ｋｇ／ｍ３で硬さが８０Ｎの軟質ポリウレタンフォームを用い、厚さ２０ｍｍ×横３００ｍｍ×縦２００ｍｍの平板形状に裁断し、図３に示すような表面がフラットであるファイルストッパーを得た。
【００２２】
得られたファイルストッパーについて、実施例１と同様の試験方法にて測定した。その結果、表１に示す。
【００２３】
（比較例２）
密度が１３ｋｇ／ｍ３で硬さが８０Ｎの軟質ポリウレタンフォームを用い、まず、厚さ２０ｍｍ×横３００ｍｍ×縦２００ｍｍの平板形状に裁断した。
【００２４】
次に、この板状フォームを、カッターにより、５ｍ間隔で１０ｍｍスリット溝５を形成し、図４に示すようなファイルストッパーを得た。
【００２５】
得られたファイルストッパーについて、実施例１と同様の試験方法にて測定した。その結果、表１に示す。
【００２６】
【表１】
2008161287.tif 000003
【００２７】
表１より、本発明のファイルストッパーは、ファイルのズレ・倒れ込みが５０日間発生しなかった。
【００２８】
それに対し、比較例１のファイルストッパーは、６日目でファイルが引き出し中においてズレ、８日目でファイルが引き出し中において倒れ込んだ。
【００２９】
また、比較例２のファイルストッパーは、２０日目でファイルが引き出し中においてズレ、２８日目でファイルが引き出し中において倒れ込んだ。
【図面の簡単な説明】
【００３０】
【図１】本発明のファイルストッパー１の一形態を示す図である。
【図２】本発明のファイルストッパー１を、引き出し中に設置・固定をし、実際にファイルを収納している状態を示す図である。
【図３】比較例１のファイルストッパーを、引き出し中に設置・固定をし、実際にファイルを収納している状態を示す図である。
【図４】比較例２のファイルストッパーを、引き出し中に設置・固定をし、実際にファイルを収納している状態を示す図である。
【図５】従来技術を説明する図である。
【符号の説明】
【００３１】
１          ファイルストッパー
１ａ        山部
１ｂ        谷部
２          ブックエンド
３          ファイル
３ａ        表紙
３ｂ        裏紙
３ｃ        背表紙
４          引き出し
４ａ        引き出しの前側面部
４ｂ        引き出しの底面部
４ｃ        引き出しの後側面部
５          スリット溝
【図１】
2008161287.tif 000004
【図２】
2008161287.tif 000005
【図３】
2008161287.tif 000006
【図４】
2008161287.tif 000007
【図５】
2008161287.tif 000008